(57)【要約】【課題】信頼性を高める。【解決手段】通信装置は、非正常事象が発生した場合、カウントを開始するタイマ部を含み、非正常事象が発生すると、前記タイマ部のカウント値が規定値に達するまで、送受信切り替え信号を受信を示す値にする主制御部と、受信信号を復調し、送信する内容を送信信号に変調する無線部と、前記送受信切り替え信号が送信を示す値であれば、前記無線部からの送信信号をアンテナ部に出力し、前記送受信切り替え信号が受信を示す値であれば、前記アンテナ部からの受信信号を前記無線部に出力する送受信切り替え部と、を含む。【選択図】      図１
2014176011.tif 000002
【特許請求の範囲】
【請求項１】
非正常事象が発生した場合、カウントを開始するタイマ部を含み、非正常事象が発生すると、前記タイマ部のカウント値が規定値に達するまで、送受信切り替え信号を受信を示す値にする主制御部と、
受信信号を復調し、送信する内容を送信信号に変調する無線部と、
前記送受信切り替え信号が送信を示す値であれば、前記無線部からの送信信号をアンテナ部に出力し、前記送受信切り替え信号が受信を示す値であれば、前記アンテナ部からの受信信号を前記無線部に出力する送受信切り替え部と、
を含むことを特徴とする通信装置。
【請求項２】
前記主制御部は、
非正常事象の発生を示す切り替え起動信号、および、通常の送受信時に送受信を切り替えるための通常切り替え信号を出力し、リセット制御信号によりリセットを行う基本制御部と、
前記切り替え起動信号が非正常事象の発生を示すと、前記リセット制御信号を出力し、カウント値が前記規定値に達するまで、強制切り替え信号をオンにする前記タイマ部と、
前記強制切り替え信号がオンであれば、前記通常切り替え信号の値にかかわらず、前記送受信切り替え信号である合成切り替え信号を、受信を示す値にし、前記強制切り替え信号がオフであれば、前記合成切り替え信号を前記通常切り替え信号の値と同一の値にして出力する切り替え信号合成部と、
を含むことを特徴とする請求項１の通信装置。
【請求項３】
前記送受信切り替え部は、
前記無線部に接続され、前記合成切り替え信号により送受信の切り替えを行う送受信スイッチと、
前記送受信スイッチと前記アンテナ部との間に設けられ、前記強制切り替え信号がオンであれば前記アンテナ部との接続を切断する送信スイッチと、
を含むことを特徴とする請求項２の通信装置。
【請求項４】
前記送受信切り替え部は、
前記アンテナからの受信信号の前記無線部への出力、および、前記アンテナ部への送信信号の出力の切り替えを、前記合成切り替え信号により行う送受信スイッチと、
前記送受信スイッチと前記無線部との間に設けられ、前記合成切り替え信号が送信を示す値であれば前記無線部からの送信信号を前記送受信スイッチに出力し、前記合成切り替え信号が受信を示す値であれば前記送受信スイッチとの接続を切断する送信スイッチと、
を含むことを特徴とする請求項２の通信装置。
【請求項５】
前記主制御部は、
非正常事象の発生を示す切り替え起動信号、および、通常の送受信時に送受信を切り替えるための前記送受信切り替え信号の一部である通常切り替え信号を出力し、リセット制御信号によりリセットを行う基本制御部と、
前記切り替え起動信号が非正常事象の発生を示すと、前記リセット制御信号を出力し、カウント値が規定値に達するまで、前記送受信切り替え信号の一部である強制切り替え信号をオンにして出力する前記タイマ部と、
を含み、
前記送受信切り替え部は、
前記アンテナ部からの受信信号の前記無線部への出力、および、前記アンテナ部への送信信号の出力の切り替えを、前記通常切り替え信号により行う送受信スイッチと、
前記送受信スイッチと前記無線部との間に設けられ、前記強制切り替え信号がオフであれば、前記無線部からの送信信号を前記送受信スイッチに出力し、前記強制切り替え信号がオンであれば前記送受信スイッチとの接続を切断する送信スイッチと、
を含むことを特徴とする請求項１の通信装置。
【請求項６】
前記主制御部は、非正常事象の発生を示す切り替え起動信号、および、通常の送受信時に送受信を切り替えるための通常切り替え信号を出力し、リセット制御信号によりリセットを行う基本制御部と、
前記切り替え起動信号が非正常事象の発生を示すと、前記リセット制御信号を出力するリセット部と、
前記タイマ部を含み、前記リセット制御信号を受け取ると、カウント値が規定値に達するまで強制切り替え信号をオンにし、前記強制切り替え信号がオンであれば、前記通常切り替え信号の値にかかわらず、前記送受信切り替え信号である合成切り替え信号を受信を示す値にし、前記強制切り替え信号がオフであれば、前記合成切り替え信号を前記通常切り替え信号の値と同一の値にして出力するタイマ付切り替え信号合成部と、
を含むことを特徴とする請求項１の通信装置。
【請求項７】
非正常事象が発生した場合、カウントを開始するタイマ部を含む主制御部が、非正常事象が発生すると、前記タイマ部のカウント値が規定値に達するまで、送受信切り替え信号を受信を示す値にし、
無線部が、受信信号を復調し、送信する内容を送信信号に変調し、
送受信切り替え部が、前記送受信切り替え信号が送信を示す値であれば、前記無線部からの送信信号をアンテナ部に出力し、前記送受信切り替え信号が受信を示す値であれば、前記アンテナ部からの受信信号を前記無線部に出力する、
ことを特徴とする通信方法。
【請求項８】
前記主制御部の基本制御部が、非正常事象の発生を示す切り替え起動信号、および、通常の送受信時に送受信を切り替えるための通常切り替え信号を出力し、リセット制御信号によりリセットを行い、
前記主制御部の前記タイマ部が、前記切り替え起動信号が非正常事象の発生を示すと、前記リセット制御信号を出力し、カウント値が前記規定値に達するまで、強制切り替え信号をオンにし、
前記主制御部の切り替え信号合成部が、前記強制切り替え信号がオンであれば、前記通常切り替え信号の値にかかわらず、前記送受信切り替え信号である合成切り替え信号を、受信を示す値にし、前記強制切り替え信号がオフであれば、前記合成切り替え信号を前記通常切り替え信号の値と同一の値にして出力する、
ことを特徴とする請求項７の通信方法。
【請求項９】
前記送受信切り替え部の前記無線部に接続される送受信スイッチが、前記合成切り替え信号により送受信の切り替えを行い、
前記送受信切り替え部の前記送受信スイッチと前記アンテナ部との間に設けられる送信スイッチが、前記強制切り替え信号がオンであれば前記アンテナ部との接続を切断する、
ことを特徴とする請求項８の通信方法。
【請求項１０】
前記送受信切り替え部の送受信スイッチが、前記アンテナからの受信信号の前記無線部への出力、および、前記アンテナ部への送信信号の出力の切り替えを、前記合成切り替え信号により行い、
前記送受信スイッチと前記無線部との間に設けられる前記送受信切り替え部の送信スイッチが、前記合成切り替え信号が送信を示す値であれば前記無線部からの送信信号を前記送受信スイッチに出力し、前記合成切り替え信号が受信を示す値であれば前記送受信スイッチとの接続を切断する、
ことを特徴とする請求項８の通信方法。
【発明の詳細な説明】
【技術分野】
【０００１】
本発明は、通信装置、および、通信方法に関する。
【背景技術】
【０００２】
不正な無線信号の出力を抑止する技術の一例が、特許文献１に記載されている。この技術は、送信状態異常判定部が、送信信号の検波結果から送信オン状態の時間をモニタし、この送信オン状態継続時間（バースト時間）が、あらかじめ設定されている閾値を超えた場合に、送信を強制的に停止する構成である。
【０００３】
また、同様の技術の一例が、特許文献２に記載されている。この技術は、ウォッチドッグタイマ部が、クロックの供給停止から制御部の異常を検知し電源部の機能を停止させる構成である。
【先行技術文献】
【特許文献】
【０００４】
【特許文献１】特開２００３−４６４２６号公報
【特許文献２】特開平７−２１２２９８号公報
【発明の概要】
【発明が解決しようとする課題】
【０００５】
特許文献１の技術においては、非正常な動作が発生しても、送信オン状態継続時間（バースト時間）があらかじめ設定されている閾値を超える時間でなければ、送信が停止できないという問題がある。また、特許文献２の技術においては、動作中に、電源が突然切断され、送信を行う部分を構成する回路（たとえば、半導体）に瞬間的に逆電圧がかかり、回路の故障を誘発するという問題がある。すなわち、どちらの技術においても、信頼性が低いという問題がある。
【０００６】
本発明の目的は、上記問題点を解決した通信装置、および、通信方法を提供することである。
【課題を解決するための手段】
【０００７】
本発明の通信装置は、非正常事象が発生した場合、カウントを開始するタイマ部を含み、非正常事象が発生すると、前記タイマ部のカウント値が規定値に達するまで、送受信切り替え信号を受信を示す値にする主制御部と、受信信号を復調し、送信する内容を送信信号に変調する無線部と、前記送受信切り替え信号が送信を示す値であれば、前記無線部からの送信信号をアンテナ部に出力し、前記送受信切り替え信号が受信を示す値であれば、前記アンテナ部からの受信信号を前記無線部に出力する送受信切り替え部と、を含む。
【０００８】
本発明の通信方法は、非正常事象が発生した場合、カウントを開始するタイマ部を含む主制御部が、非正常事象が発生すると、前記タイマ部のカウント値が規定値に達するまで、送受信切り替え信号を受信を示す値にし、無線部が、受信信号を復調し、送信する内容を送信信号に変調し、送受信切り替え部が、前記送受信切り替え信号が送信を示す値であれば、前記無線部からの送信信号をアンテナ部に出力し、前記送受信切り替え信号が受信を示す値であれば、前記アンテナ部からの受信信号を前記無線部に出力する。
【発明の効果】
【０００９】
本発明は、信頼性が高いという効果を持つ。
【図面の簡単な説明】
【００１０】
【図１】本発明の第１の実施の形態の構成を示すブロック図である。
【図２】本発明の第１の実施の形態の動作を示すタイムチャートである。
【図３】本発明の第２の実施の形態の構成を示すブロック図である。
【図４】図３の送受信スイッチの構成、接続の一例を示す回路図である。
【図５】本発明の第２の実施の形態の通常時の動作を示すタイムチャートである。
【図６】本発明の第２の実施の形態の非通常時の動作を示すタイムチャートである。
【図７】本発明の第３の実施の形態の構成を示すブロック図である。
【図８】図７の送受信スイッチの構成、接続を示す回路図である。
【図９】図７の送信スイッチの構成、接続を示す回路図である。
【図１０】本発明の第４の実施の形態の構成を示すブロック図である。
【図１１】図１０の送信スイッチの構成、接続を示す回路図である。
【図１２】本発明の第５の実施の形態の構成を示すブロック図である。
【図１３】図１２の送信スイッチの構成、接続を示す回路図である。
【図１４】本発明の第６の実施の形態の構成を示すブロック図である。
【発明を実施するための形態】
【００１１】
次に、本発明の第１の実施の形態について図面を参照して詳細に説明する。
【００１２】
図１は、第１の実施の形態の構成を示すブロック図である。
【００１３】
図１を参照すると、第１の実施の形態の通信装置１００は、主制御部２００、無線部３００、および、送受信切り替え部４００を含む。主制御部２００は、タイマ部２１０を含む。送受信切り替え部４００は、アンテナ部（無線で送受信を行う機器）に接続される。タイマ部２１０は、カウントを行うタイマ機能を含む。
【００１４】
送受信切り替え部４００は、アンテナ部から受信信号を受け取り無線部３００に出力する。無線部３００は、受信信号を復調しデジタル信号に変換する。主制御部２００は、変換されたデジタル信号を受け取り、処理を行う。
【００１５】
また、主制御部２００は、送信する内容を含むデジタル信号を無線部３００に出力する。無線部３００は、デジタル信号をアナログ信号に変調し、送信信号として送受信切り替え部４００に出力する。送受信切り替え部４００は、送信信号をアンテナ部に出力する。
【００１６】
また、主制御部２００は、送受信切り替え部４００に送受信切り替え信号Ｆ０を出力する。送受信切り替え信号Ｆ０は、１種の信号には限定されない。送受信切り替え部４００は、送受信切り替え信号Ｆ０にしたがい送信、受信のどちらかの動作を行う。
【００１７】
次に、以上のように構成された第１の実施の形態の動作について図面を参照して詳細に説明する。図２は、第１の実施の形態の動作を示すタイムチャートである。
【００１８】
図２を参照すると、主制御部２００は、非正常事象（たとえば、障害等）が発生すると（時間Ｔ１）、送受信切り替え信号Ｆ０を強制的に受信を選択する値にする。また、主制御部２００は、非正常事象を検出すると（時間Ｔ１、あるいは、時間Ｔ１の後）、非正常事象のための動作（たとえば、リセット動作）を行い、そして、タイマ部２１０がカウントを開始する。
【００１９】
主制御部２００は、タイマ部２１０のカウント値が事前に設定された規定値に達する時間（時間Ｔ２）まで、送受信切り替え信号Ｆ０を受信を選択する値にし続ける。この規定値は、主制御部２００の非正常事象のための動作の後、主制御部２００が安定して動作できる時間を確保するために十分な時間が設定される。そして、送受信切り替え部４００は、送受信切り替え信号Ｆ０にしたがいアンテナ部に対し送信信号を出力しない。
【００２０】
次に、第１の実施の形態の効果について説明する。
【００２１】
第１の実施の形態は、主制御部２００の非正常事象の検出に基づいて、送信を抑止する構成であって、送信オン状態継続時間（バースト時間）の長さかかわらず送信を抑止することができるという効果を持つ。したがって、第１の実施の形態は、信頼性が高いという効果を持つ。
【００２２】
また、第１の実施の形態は、電源機能の停止を行わない構成であり、逆電圧による回路の故障を誘発しないので、信頼性が高いという効果を持つ。
【００２３】
また、第１の実施の形態は、非正常事象のための動作（たとえば、リセット動作）後、主制御部２００が安定して動作できる時間を確保するために十分な時間が経過してから、送信を再開する構成なので、信頼性が高いという効果を持つ。
【００２４】
次に、本発明の第２の実施の形態について図面を参照して詳細に説明する。
【００２５】
図３は、第２の実施の形態の構成を示すブロック図である。
【００２６】
図３を参照すると、第２の実施の形態の通信装置１００は、主制御部２００、無線部３００、送受信切り替え部４００、および、アンテナ部５００を含む。第２の実施の形態の通信装置１００は、第１の実施の形態の通信装置１００の一例である。また、通信装置１００は、動作用の電源部、クロック供給部を含む構成であるが、本発明の特徴には、かかわらないので、説明を省略する。
【００２７】
また、第２の実施の形態の主制御部２００、無線部３００、送受信切り替え部４００、および、合成切り替え信号Ｋ０は、それぞれ、第１の実施の形態の主制御部２００、無線部３００、送受信切り替え部４００、および、送受信切り替え信号Ｆ０の一例である。
【００２８】
主制御部２００は、タイマ部２１０、基本制御部２２０、切り替え信号合成部２３０、および、記憶部２４０を含む。第２の実施の形態のタイマ部２１０は、第１の実施の形態のタイマ部２１０の一例である。タイマ部２１０のタイマ機能は、２つある。１つは、ウォッチドッグタイマ機能であり、もう１つは、時間確保用タイマ機能である。
【００２９】
また、送受信切り替え部４００は、送受信スイッチ４１０で構成される。
【００３０】
アンテナ部５００は、送受信スイッチ４１０からの信号を無線信号で送出し、受信した無線信号を送受信スイッチ４１０に出力する。送受信スイッチ４１０は、無線部３００とは、それぞれ独立した２つのラインで接続される。送受信スイッチ４１０は、１つのラインで、受信信号Ａ０を無線部３００に出力する。また、送受信スイッチ４１０は、もう１つのラインで、送信信号Ｂ０を無線部３００から受け取る。
【００３１】
記憶部２４０は、アンテナ部５００から送信されるデータ、および、アンテナ部５００から受信されるデータ等を格納する。また、基本制御部２２０が、記憶部２４０に格納されたプログラムを実行して制御を行う構成が可能である。また、通信装置１００をファームウェア制御にする構成が可能である。すなわち、ファームウェアプログラムが、主制御部２００、無線部３００、送受信切り替え部４００に、それぞれの所定の動作を実施させる手順（ステップ）を含む構成が可能である。  また、記憶部２４０が、タイマ部２１０のタイマの規定値を格納し、その規定値がタイマ部２１０に設定される構成が可能である。
【００３２】
基本制御部２２０は、記憶部２４０から読み出したデータ等を送信するために無線部３００に出力し、無線部３００から受け取ったデータ等（元々はアンテナ部５００が受信した内容）を記憶部２４０に格納する。
【００３３】
基本制御部２２０は、無線部制御信号Ｃ０により無線部３００を、通常切り替え信号Ｄ０により切り替え信号合成部２３０を、切り替え起動信号Ｈ０によりタイマ部２１０を制御する。通常切り替え信号Ｄ０は、通常の送受信時に送受信を切り替えるための信号である。
【００３４】
切り替え信号合成部２３０は、合成切り替え信号Ｋ０を送受信スイッチ４１０に出力する。タイマ部２１０は、リセット制御信号Ｇ０を基本制御部２２０に、強制切り替え信号Ｅ０を切り替え信号合成部２３０に出力する。
【００３５】
切り替え信号合成部２３０は、強制切り替え信号Ｅ０がオンであれば、通常切り替え信号Ｄ０の値にかかわらず、合成切り替え信号Ｋ０を受信（オフ）を示す値にする。また、切り替え信号合成部２３０は、強制切り替え信号Ｅ０がオフであれば、合成切り替え信号Ｋ０を通常切り替え信号Ｄ０の値と同一の値にする。
【００３６】
図４は、送受信スイッチ４１０の構成、接続の一例を示す回路図である。図４を参照すると、送受信スイッチ４１０は、高周波リレーを用いたスイッチである。
【００３７】
高周波リレーを用いたスイッチと、用いない高周波スイッチとでは、端子間のアイソレーション（端子間が接続していない場合の無線信号の減衰量）が異なる。高周波リレーを用いた場合は、アイソレーションが高いので無線信号のレベルを下げることができ、不要な電波を送信しない可能性が高くなる。
【００３８】
合成切り替え信号Ｋ０がオンであれば、アンテナ部５００と送信信号Ｂ０のラインとが接続され、合成切り替え信号Ｋ０がオフであれば、アンテナ部５００と受信信号Ａ０のラインとが接続される。また、高周波リレーにより、受信信号Ａ０のラインと送信信号Ｂ０のラインとの間には、高いアイソレーションが実現される。
【００３９】
次に、以上のように構成された第２の実施の形態の動作について図面を参照して説明する。
【００４０】
まず、通常時（すなわち、強制的には送受信切り替え部４００を受信にしない場合）の動作について説明する。図５は、第２の実施の形態の通常時の動作を示すタイムチャートである。
【００４１】
図５を参照すると、基本制御部２２０は、一定の周期でオン、オフする切り替え起動信号Ｈ０をタイマ部２１０に出力する。たとえば、ファームウェアの周期ルーチンが、定期的に、基本制御部２２０に、切り替え起動信号Ｈ０をオン、オフさせる。タイマ部２１０のウォッチドッグタイマ機能は、切り替え起動信号Ｈ０が周期的にオン、オフしていることを検知し、リセット制御信号Ｇ０、および、強制切り替え信号Ｅ０をオフのままにする。
【００４２】
時間Ｔｍにおいて、基本制御部２２０は、送信すべきデータ等を記憶部２４０から読み出し、無線部３００に出力し、無線部制御信号Ｃ０により送信を指示する。無線部３００は、データ等をアナログ信号に変換し、送信信号Ｂ０として送受信部切り替え部４００に出力する。
【００４３】
また、時間Ｔｍにおいて、基本制御部２２０は、通常切り替え信号Ｄ０をオンにし、送信を示す値にする。さらに、時間Ｔｘにおいて、基本制御部２２０は、通常切り替え信号Ｄ０をオフにし、受信を示す値にする。強制切り替え信号Ｅ０はオフのままなので、合成切り替え信号Ｋ０は、通常切り替え信号Ｄ０と同一の値をとる。
【００４４】
次に、強制的に送受信切り替え部４００を受信にする場合について説明する。図６は、第２の実施の形態の非通常時の動作を示すタイムチャートである。
【００４５】
図６を参照すると、基本制御部２２０は、時間Ｔｎから、切り替え起動信号Ｈ０をオフにする。たとえば、非正常事象が発生し、上述の周期ルーチンが実行されなくなり、切り替え起動信号Ｈ０がオフのままになってしまう（この場合、この時点では、基本制御部２２０は、非正常事象の発生を認識していない）。タイマ部２１０のウォッチドッグタイマ機能は、切り替え起動信号Ｈ０が周期的にオン、オフしていないことを検知し、リセット制御信号Ｇ０、および、強制切り替え信号Ｅ０をオンにする。この時点で、タイマ部２１０が非正常事象を検出したことになる。
【００４６】
リセット制御信号Ｇ０がオンになると、基本制御部２２０は、内部をリセットする。基本制御部２２０は、リセットが終了すると、切り替え起動信号Ｈ０の周期的なオン、オフを再開する（時間Ｔｙ）。タイマ部２１０は、切り替え起動信号Ｈ０の周期的なオン、オフを検知すると、リセット制御信号Ｇ０をオフにし、前述の時間確保用タイマ機能がカウントを開始する。
【００４７】
そして、タイマ部２１０は、そのカウント値が規定値に達すると、強制切り替え信号Ｅ０をオフにする。すなわち、タイマ部２１０は、リセット制御信号Ｇ０をオフにしてから一定時間経過するまで（すなわち、基本制御部２２０の動作が安定するまで）、強制切り替え信号Ｅ０をオンにし続け、時間Ｔｚにおいて、強制切り替え信号Ｅ０をオフにする。
【００４８】
時間Ｔｎ〜Ｔｚの間、通常切り替え信号Ｄ０は、リセット動作により、オン、オフが不定となる。そして、無線部３００も不正に送信信号Ｂ０を出力する可能性がある。
【００４９】
時間Ｔｎ〜Ｔｚの間、強制切り替え信号Ｅ０がオンなので、切り替え信号合成部２３０は、その間、合成切り替え信号Ｋ０を受信（オフ）を示す値にする。したがって、送受信切り替え部４００は、アンテナ部５００に、不正な送信信号Ｂ０を出力することはない。
【００５０】
次に、第２の実施の形態の効果について説明する。第２の実施の形態は、第１の実施の形態の一例なので、第１の実施の形態と同一の効果を持つ。
【００５１】
また、第２の実施の形態は、送受信切り替え部４００にリレーを用いた高周波スイッチを使用する構成なので、信頼性が高いという効果を持つ。
【００５２】
また、第２の実施の形態は、無線部３００をリセットしなくても、不正な送信信号Ｂ０が送信されるのを抑止できるので、無線部３００の構成が簡単であるという効果を持つ。
【００５３】
次に、本発明の第３の実施の形態について図面を参照して詳細に説明する。
【００５４】
図７は、第３の実施の形態の構成を示すブロック図である。
【００５５】
図７を参照すると、第３の実施の形態においては、送受信切り替え部４００が送受信スイッチ４１０、および、送信スイッチ４２０を含む構成である。すなわち、第３の実施の形態は、第２の実施の形態の一例である。また、合成切り替え信号Ｋ０と強制切り替え信号Ｅ０との組み合わせは、送受信切り替え信号Ｆ０の一例である。
【００５６】
次に、第３の実施の形態の動作について図面を参照して説明する。
【００５７】
図８は、図７の送受信スイッチ４１０の構成、接続を示す回路図である。図９は、図７の送信スイッチ４２０の構成、接続を示す回路図である。
【００５８】
図８を参照すると、送受信スイッチ４１０は、高周波スイッチである。合成切り替え信号Ｋ０が送信（オン）であれば、送信スイッチ４２０と送信信号Ｂ０のラインとが接続され、合成切り替え信号Ｋ０が受信（オフ）であれば、送信スイッチ４２０と受信信号Ａ０のラインとが接続される。
【００５９】
図９を参照すると、送信スイッチ４２０は、高周波スイッチである。強制切り替え信号Ｅ０がオンであれば、送受信スイッチ４１０とアンテナ部５００との接続が切断され、送受信スイッチ４１０とグランドとが接続される。また、強制切り替え信号Ｅ０がオフであれば、送受信スイッチ４１０とアンテナ部５００とが接続される。
【００６０】
もし、送受信スイッチ４１０から不正な送信信号が出力されたとしても、送信スイッチ４２０がその不正な送信信号を抑止することができる。すなわち、時間Ｔｎ〜Ｔｚの間、送受信スイッチ４１０のはたらきによりアンテナ部５００から送信信号が出力されることはない。
【００６１】
したがって、第３の実施の形態においては、第２の実施の形態よりも安価な高周波スイッチ（アイソレーションが完全とは限らない）を送受信スイッチ４１０に使用可能である。たとえば、第２の実施の形態のように、高価なリレーを用いた高周波スイッチを使用する必要がない。
【００６２】
次に、第３の実施の形態の効果について説明する。第３の実施の形態は、第２の実施の形態の一例なので、第２の実施の形態と同一の効果を持つ。また、第３の実施の形態は、送受信スイッチ４１０を安価に構成できるので、第２の実施の形態に比べて経済性が向上するという効果を持つ。
【００６３】
次に、本発明の第４の実施の形態について図面を参照して詳細に説明する。
【００６４】
図１０は、第４の実施の形態の構成を示すブロック図である。図１０を参照すると、第４の実施の形態においては、送受信切り替え部４００が送受信スイッチ４１０、および、送信スイッチ４２０を含む構成である。すなわち、第４の実施の形態は、第２の実施の形態の一例である。
【００６５】
送受信スイッチ４１０、および、送信スイッチ４２０は、第３の実施の形態のそれぞれと同一である。しかし、第３の実施の形態とは異なり、送信スイッチ４２０は、送信信号Ｂ０のラインの途中に設けられる。また、送信スイッチ４２０は、合成切り替え信号Ｋ０により制御される。
【００６６】
次に、第４の実施の形態の動作について図面を参照して説明する。
【００６７】
図１１は、図１０の送信スイッチ４２０の構成、接続を示す回路図である。図１１を参照すると、送信スイッチ４２０では、合成切り替え信号Ｋ０が送信（オン）であれば、無線部３００からの送信信号Ｂ０が送受信スイッチ４１０へ出力される接続となる。
【００６８】
また、合成切り替え信号Ｋ０が受信（オフ）であれば、無線部３００と送受信スイッチ４１０との接続はなく、無線部３００との送信信号Ｂ０のラインは、グランドに接続される。
【００６９】
もし、無線部３００から不正な送信信号Ｂ０が出力されたとしても、送信スイッチ４２０がその不正な送信信号Ｂ０を抑止することができる。すなわち、時間Ｔｎ〜Ｔｚの間、送受信スイッチ４１０のはたらきによりアンテナ部５００から送信信号が出力されることはない。
【００７０】
したがって、第４の実施の形態においては、第２の実施の形態よりも安価な高周波スイッチ（アイソレーションが完全とは限らない）を送受信スイッチ４１０に使用可能である。
【００７１】
次に、第４の実施の形態の効果について説明する。第４の実施の形態は、第２の実施の形態の一例なので、第２の実施の形態と同一の効果を持つ。また、第４の実施の形態は、送受信スイッチ４１０を安価に構成できるので、第２の実施の形態に比べて経済性が向上するという効果を持つ。
【００７２】
また、第４の実施の形態は、受信信号Ａ０の入力に関し、アンテナ部５００と無線部３００との間には、送信スイッチ４２０が設けられていない構成である。したがって、送信スイッチ４２０が設けられている第３の実施の形態に比べて、受信信号Ａ０の損失が少ないという効果を持つ。
【００７３】
次に、第５の実施の形態について図面を参照して詳細に説明する。
【００７４】
第５の実施の形態は、第４の実施の形態の一例である。図１２は、第５の実施の形態の構成を示すブロック図である。図１２を参照すると、第５の実施の形態は、第４の実施の形態に含まれる切り替え信号合成部２３０を含まない。また、送受信スイッチ４１０を制御するのは、通常切り替え信号Ｄ０であり、送信スイッチ４２０を制御するのは、強制切り替え信号Ｅ０である。通常切り替え信号Ｄ０と強制切り替え信号Ｅ０との組み合わせは、送受信切り替え信号Ｆ０の一例である。
【００７５】
次に、第５の実施の形態の動作について図面を参照して説明する。
【００７６】
図１３は、図１２の送信スイッチ４２０の構成、接続を示す回路図である。図１２を参照すると、送信スイッチ４２０では、強制切り替え信号Ｅ０がオフであれば、無線部３００からの送信信号Ｂ０が送受信スイッチ４１０へ出力される接続となる。
【００７７】
また、強制切り替え信号Ｅ０がオンであれば（たとえば、図６の時間Ｔｎ〜Ｔｚの間）、送受信スイッチ４１０との接続はなく、無線部３００との送信信号Ｂ０のラインは、グランドに接続される。
【００７８】
また、送受信スイッチ４１０は、通常切り替え信号Ｄ０により制御されるが、時間Ｔｎ〜Ｔｚの間は、送信信号が送受信スイッチ４１０から出力されないので、不正な送信信号がアンテナ部５００に出力されることはない。
【００７９】
次に、第５の実施の形態の効果について説明する。第５の実施の形態は、第４の実施の形態の一例なので、第４の実施の形態と同一の効果を持つ。また、第５の実施の形態は、切り替え信号合成部２３０を含まないので、第４の実施の形態と比べて、ハードウェア量が少なく、経済的であるという効果を持つ。
【００８０】
次に、第６の実施の形態について図面を参照して詳細に説明する。
【００８１】
図１４は、第６の実施の形態の構成を示すブロック図である。第６の実施の形態の通信装置１００は、第１の実施の形態の一例である。
【００８２】
図１４を参照すると、第６の実施の形態の通信装置１００は、第２の実施の形態の切り替え信号合成部２３０の替わりにタイマ付切り替え信号合成部２５０を、タイマ部２１０の替わりにリセット部２６０を含む。タイマ付切り替え信号合成部２５０は、第２の実施の形態の切り替え信号合成部２３０の機能に加えてタイマ機能を含む。
【００８３】
リセット部２６０は、第２の実施の形態のタイマ部２１０からタイマ機能が削除されている。リセット部２６０は、リセット制御信号Ｇ０を基本制御部２２０、および、タイマ付切り替え信号合成部２５０に出力する。基本制御部２２０は、タイマ付切り替え信号合成部２５０に通常切り替え信号Ｄ０を出力する。
【００８４】
次に、第６の実施の形態の動作について図面を参照して詳細に説明する。
【００８５】
第６の実施の形態の各信号の論理は、第２の実施の形態の各信号の論理と同一である。すなわち、第６の実施の形態の各信号の動作は、図５、図６に示される第２の実施の形態の各信号の動作と同一である。強制切り替え信号Ｅ０は、タイマ付切り替え信号合成部２５０の内部で、リセット制御信号Ｇ０に基づいて作成される。
【００８６】
また、合成切り替え信号Ｋ０は、強制切り替え信号Ｅ０、および、通常切り替え信号Ｄ０に基づいて、第２の実施の形態と同一の論理で作成される。このように、第６の実施の形態は、第２の実施の形態と同一の機能を実現する。また、第６の実施の形態と、第３〜第４の実施の形態を組み合わせる構成も可能である。
【００８７】
次に、第６の実施の形態の効果について説明する。第６の実施の形態は、第２の実施の形態と同一の機能を実現するので、第２の実施の形態と同一の効果を持つ。
【００８８】
上記の実施の形態の一部、または、全部は、以下の付記のようにも記載されうるが、以下には限られない。
【００８９】
［付記１］
非正常事象が発生した場合、カウントを開始するタイマ部を含み、非正常事象が発生すると、前記タイマ部のカウント値が規定値に達するまで、送受信切り替え信号を受信を示す値にする主制御部と、
受信信号を復調し、送信する内容を送信信号に変調する無線部と、
前記送受信切り替え信号が送信を示す値であれば、前記無線部からの送信信号をアンテナ部に出力し、前記送受信切り替え信号が受信を示す値であれば、前記アンテナ部からの受信信号を前記無線部に出力する送受信切り替え部と、
を含むことを特徴とする通信装置。
【００９０】
［付記２］
前記主制御部は、
非正常事象の発生を示す切り替え起動信号、および、通常の送受信時に送受信を切り替えるための通常切り替え信号を出力し、リセット制御信号によりリセットを行う基本制御部と、
前記切り替え起動信号が非正常事象の発生を示すと、前記リセット制御信号を出力し、カウント値が前記規定値に達するまで、強制切り替え信号をオンにする前記タイマ部と、
前記強制切り替え信号がオンであれば、前記通常切り替え信号の値にかかわらず、前記送受信切り替え信号である合成切り替え信号を、受信を示す値にし、前記強制切り替え信号がオフであれば、前記合成切り替え信号を前記通常切り替え信号の値と同一の値にして出力する切り替え信号合成部と、
を含むことを特徴とする付記１の通信装置。
【００９１】
［付記３］
前記送受信切り替え部は、
前記無線部に接続され、前記合成切り替え信号により送受信の切り替えを行う送受信スイッチと、
前記送受信スイッチと前記アンテナ部との間に設けられ、前記強制切り替え信号がオンであれば前記アンテナ部との接続を切断する送信スイッチと、
を含むことを特徴とする付記２の通信装置。
【００９２】
［付記４］
前記送受信切り替え部は、
前記アンテナからの受信信号の前記無線部への出力、および、前記アンテナ部への送信信号の出力の切り替えを、前記合成切り替え信号により行う送受信スイッチと、
前記送受信スイッチと前記無線部との間に設けられ、前記合成切り替え信号が送信を示す値であれば前記無線部からの送信信号を前記送受信スイッチに出力し、前記合成切り替え信号が受信を示す値であれば前記送受信スイッチとの接続を切断する送信スイッチと、
を含むことを特徴とする付記２の通信装置。
【００９３】
［付記５］
前記主制御部は、
非正常事象の発生を示す切り替え起動信号、および、通常の送受信時に送受信を切り替えるための前記送受信切り替え信号の一部である通常切り替え信号を出力し、リセット制御信号によりリセットを行う基本制御部と、
前記切り替え起動信号が非正常事象の発生を示すと、前記リセット制御信号を出力し、カウント値が規定値に達するまで、前記送受信切り替え信号の一部である強制切り替え信号をオンにして出力する前記タイマ部と、
を含み、
前記送受信切り替え部は、
前記アンテナ部からの受信信号の前記無線部への出力、および、前記アンテナ部への送信信号の出力の切り替えを、前記通常切り替え信号により行う送受信スイッチと、
前記送受信スイッチと前記無線部との間に設けられ、前記強制切り替え信号がオフであれば、前記無線部からの送信信号を前記送受信スイッチに出力し、前記強制切り替え信号がオンであれば前記送受信スイッチとの接続を切断する送信スイッチと、
を含むことを特徴とする付記１の通信装置。
【００９４】
［付記６］
前記主制御部は、非正常事象の発生を示す切り替え起動信号、および、通常の送受信時に送受信を切り替えるための通常切り替え信号を出力し、リセット制御信号によりリセットを行う基本制御部と、
前記切り替え起動信号が非正常事象の発生を示すと、前記リセット制御信号を出力するリセット部と、
前記タイマ部を含み、前記リセット制御信号を受け取ると、カウント値が規定値に達するまで強制切り替え信号をオンにし、前記強制切り替え信号がオンであれば、前記通常切り替え信号の値にかかわらず、前記送受信切り替え信号である合成切り替え信号を受信を示す値にし、前記強制切り替え信号がオフであれば、前記合成切り替え信号を前記通常切り替え信号の値と同一の値にして出力するタイマ付切り替え信号合成部と、
を含むことを特徴とする付記１の通信装置。
【００９５】
［付記７］
非正常事象が発生した場合、カウントを開始するタイマ部を含む主制御部が、非正常事象が発生すると、前記タイマ部のカウント値が規定値に達するまで、送受信切り替え信号を受信を示す値にし、
無線部が、受信信号を復調し、送信する内容を送信信号に変調し、
送受信切り替え部が、前記送受信切り替え信号が送信を示す値であれば、前記無線部からの送信信号をアンテナ部に出力し、前記送受信切り替え信号が受信を示す値であれば、前記アンテナ部からの受信信号を前記無線部に出力する、
ことを特徴とする通信方法。
【００９６】
［付記８］
前記主制御部の基本制御部が、非正常事象の発生を示す切り替え起動信号、および、通常の送受信時に送受信を切り替えるための通常切り替え信号を出力し、リセット制御信号によりリセットを行い、
前記主制御部の前記タイマ部が、前記切り替え起動信号が非正常事象の発生を示すと、前記リセット制御信号を出力し、カウント値が前記規定値に達するまで、強制切り替え信号をオンにし、
前記主制御部の切り替え信号合成部が、前記強制切り替え信号がオンであれば、前記通常切り替え信号の値にかかわらず、前記送受信切り替え信号である合成切り替え信号を、受信を示す値にし、前記強制切り替え信号がオフであれば、前記合成切り替え信号を前記通常切り替え信号の値と同一の値にして出力する、
ことを特徴とする付記７の通信方法。
【００９７】
［付記９］
前記送受信切り替え部の前記無線部に接続される送受信スイッチが、前記合成切り替え信号により送受信の切り替えを行い、
前記送受信切り替え部の前記送受信スイッチと前記アンテナ部との間に設けられる送信スイッチが、前記強制切り替え信号がオンであれば前記アンテナ部との接続を切断する、
ことを特徴とする付記８の通信方法。
【００９８】
［付記１０］
前記送受信切り替え部の送受信スイッチが、前記アンテナからの受信信号の前記無線部への出力、および、前記アンテナ部への送信信号の出力の切り替えを、前記合成切り替え信号により行い、
前記送受信スイッチと前記無線部との間に設けられる前記送受信切り替え部の送信スイッチが、前記合成切り替え信号が送信を示す値であれば前記無線部からの送信信号を前記送受信スイッチに出力し、前記合成切り替え信号が受信を示す値であれば前記送受信スイッチとの接続を切断する、
ことを特徴とする付記８の通信方法。
【００９９】
［付記１１］
前記主制御部の基本制御部が、非正常事象の発生を示す切り替え起動信号、および、通常の送受信時に送受信を切り替えるための前記送受信切り替え信号の一部である通常切り替え信号を出力し、リセット制御信号によりリセットを行い、
前記タイマ部が、前記切り替え起動信号が非正常事象の発生を示すと、前記リセット制御信号を出力し、カウント値が規定値に達するまで、前記送受信切り替え信号の一部である強制切り替え信号をオンにして出力し、
前記送受信切り替え部の送受信スイッチが、前記アンテナ部からの受信信号の前記無線部への出力、および、前記アンテナ部への送信信号の出力の切り替えを、前記通常切り替え信号により行い、
前記送受信スイッチと前記無線部との間に設けられる前記送受信切り替え部の送信スイッチが、前記強制切り替え信号がオフであれば、前記無線部からの送信信号を前記送受信スイッチに出力し、前記強制切り替え信号がオンであれば前記送受信スイッチとの接続を切断する、
ことを特徴とする付記７の通信方法。
【０１００】
［付記１２］
前記主制御部の基本制御部が、非正常事象の発生を示す切り替え起動信号、および、通常の送受信時に送受信を切り替えるための通常切り替え信号を出力し、リセット制御信号によりリセットを行い、
前記主制御部のリセット部が、前記切り替え起動信号が非正常事象の発生を示すと、前記リセット制御信号を出力し、
前記タイマ部を含む前記主制御部のタイマ付切り替え信号合成部が、前記リセット制御信号を受け取ると、カウント値が規定値に達するまで強制切り替え信号をオンにし、前記強制切り替え信号がオンであれば、前記通常切り替え信号の値にかかわらず、前記送受信切り替え信号である合成切り替え信号を受信を示す値にし、前記強制切り替え信号がオフであれば、前記合成切り替え信号を前記通常切り替え信号の値と同一の値にして出力する、
ことを特徴とする付記７の通信方法。
【符号の説明】
【０１０１】
１００    通信装置
２００    主制御部
２１０    タイマ部
２２０    基本制御部
２３０    切り替え信号合成部
２４０    記憶部
２５０    タイマ付切り替え信号合成部
２６０    リセット部
３００    無線部
４００    送受信切り替え部
４１０    送受信スイッチ
４２０    送信スイッチ
５００    アンテナ部
Ａ０    受信信号
Ｂ０    送信信号
Ｃ０    無線部制御信号
Ｄ０    通常切り替え信号
Ｅ０    強制切り替え信号
Ｆ０    送受信切り替え信号
Ｇ０    リセット制御信号
Ｈ０    切り替え起動信号
Ｋ０    合成切り替え信号
【図１】
2014176011.tif 000003
【図２】
2014176011.tif 000004
【図３】
2014176011.tif 000005
【図４】
2014176011.tif 000006
【図５】
2014176011.tif 000007
【図６】
2014176011.tif 000008
【図７】
2014176011.tif 000009
【図８】
2014176011.tif 000010
【図９】
2014176011.tif 000011
【図１０】
2014176011.tif 000012
【図１１】
2014176011.tif 000013
【図１２】
2014176011.tif 000014
【図１３】
2014176011.tif 000015
【図１４】
2014176011.tif 000016